(57)【要約】【課題】  電気機器の表示部に表示した画像を受像層に現像させる感光シールの現像システム、及び該現像システムに用いる感光シールの提供。【解決手段】  ＤＶカメラ４０の筐体６０には表示部４６及び電池収容部６１が設けられている。表示部４６は筐体６０に開閉自在であり、閉じた状態で電池収容部６１を閉鎖する。使用者は感光シール１０を電池７０に貼り付けてから電池７０を電池収容部６１に収容する。感光シール１０は最上面に遮光シート７を有し、遮光シート７より下側に感光層、現像処理材及び受像層を有する。遮光シート７には自身より長寸の帯片７ａを設けてある。次に使用者は表示部４６を閉じる。このとき帯片７ａは表示部４６と筐体６０との間の隙間から突出する。そして使用者は帯片７ａを引き抜いて遮光シート７を引き剥がす。ＤＶカメラ４０は露光ボタン５３が押圧された場合に表示部４６に画像を表示して感光シール１０を露光する。【選択図】        図２
2006162702.tif 000002
【特許請求の範囲】
【請求項１】
画像を表示する表示部を有する電気機器と、感光層及び受像層を有する感光シールとを備え、前記表示部に表示した画像を前記受像層に現像させる感光シールの現像システムであって、
前記感光シールは、前記受像層を覆うと共に、該受像層側から現像処理材及び前記感光層が順に配置されてなる感光シートと、該感光シートを覆うように粘着された遮光シートとを有し、
前記電気機器は、前記表示部に画像を表示させる表示指示を受け付ける受付手段を有し、該受付手段が表示指示を受け付けた場合に、前記表示部に画像を表示するようにしてある
ことを特徴とする感光シールの現像システム。
【請求項２】
画像を表示する表示部を有する電気機器と、感光層及び受像層を有する感光シールとを備え、前記表示部に表示した画像を前記受像層に現像させる感光シールの現像システムであって、
前記感光シールは、前記感光層及び受像層の間に現像処理材が介在し、前記受像層を覆うように粘着された遮光シートを有し、
前記電気機器は、前記表示部に画像を表示させる表示指示を受け付ける受付手段を有し、該受付手段が表示指示を受け付けた場合に、前記表示部に画像を表示するようにしてある
ことを特徴とする感光シールの現像システム。
【請求項３】
前記電気機器は、外観が露出するようにして駆動用の電池を収容する電池収容部を設けてある筐体を有し、前記電池収容部を開放／閉鎖するようにして前記表示部を前記筐体に開／閉可能に取り付けてあることを特徴とする請求項１又は２に記載の感光シールの現像システム。
【請求項４】
前記電気機器は、前記受付手段が表示指示を受け付けた場合に、前記表示部に画像を所定時間だけ表示するようにしてあることを特徴とする請求項１乃至３のいずれかひとつに記載の感光シールの現像システム。
【請求項５】
前記電気機器は、前記表示部に画像を表示していることを報知する報知手段を有することを特徴とする請求項１乃至４のいずれかひとつに記載の感光シールの現像システム。
【請求項６】
前記表示部に表示する画像は、単色画像であることを特徴とする請求項１乃至５のいずれかひとつに記載の感光シールの現像システム。
【請求項７】
前記感光シールは、前記遮光シートに引き剥がし片を設けてあることを特徴とする請求項１乃至６のいずれかひとつに記載の感光シールの現像システム。
【請求項８】
粘着層を一面に形成してあり、画像を現像する受像層を他面に形成してあるシート状の基材と、
前記受像層を覆うと共に、該受像層側から現像処理材及び前記感光層が順に配置されてなる感光シートと
該感光シートを覆うように粘着された遮光シートと
を備えることを特徴とする感光シール。
【請求項９】
粘着層を一面に形成してあり、感光層を他面に形成してあるシート状の基材と、
前記感光層を覆う現像処理材と、
該現像処理材を覆う受像層と、
該受像層を覆うように粘着された遮光シートと
を備えることを特徴とする感光シール。
【請求項１０】
前記遮光シートに引き剥がし片を設けてあることを特徴とする請求項８又は９に記載の感光シール。
【発明の詳細な説明】
【技術分野】
【０００１】
本発明は、電気機器の表示部に画像を表示することにより、感光シールの感光層を露光して受像層に画像を現像させる感光シールの現像システム、及び該感光シールの現像システムに用いる感光シールに関する。
【背景技術】
【０００２】
従来のデジタルビデオカメラ（以下、ＤＶカメラという）は、表示部を筐体に開閉可能に取り付けてあり、撮像時には表示部を開け、撮像画像を表示部に表示して映像を確認しつつ撮像を行うことができる（例えば、特許文献１参照）。このようなＤＶカメラの小型化及び軽量化を図るために、本願出願人は、駆動用の電池の収容部の蓋を省略し、表示部を閉じた状態で表示部が蓋を兼ねるようにしたＤＶカメラを特願２００４−２９６８７３にて出願している。
【特許文献１】特開２００２−３８１７００号公報
【発明の開示】
【発明が解決しようとする課題】
【０００３】
ところで、昨今のＤＶカメラは、顧客の嗜好に適うように筐体の色を数種類用意する傾向にある。一方、電池は本体であるＤＶカメラの付属品として、本体に同梱される他、単体でも別売されるので、本体のように種々の色を電池自体に用意した場合、別売用に用意された電池は、種々の色を用意する分、コスト高になるだけでなく、いずれの色のものが過剰在庫／欠品状態を招き易いか予想し難いため、本体のように種々の色を電池自体に用意することに抵抗がある。
【０００４】
よって、電池外観の一部を露出するようにして筐体の電池収容部に電池を収容する構造のＤＶカメラでは、表示部を開けた際に、筐体及び電池の両者の顕著な色の差異が露呈して色感の統一性が損なわれる。そこで、ＤＶカメラの筐体と同色のシールを別途用意して同梱しておき、同梱されたシールを電池の露出部に必要に応じて購入者に貼り付けさせることにより、色感に不統一性が生じることを解消する策が考えられる。
【０００５】
しかしながら、購入者が所望の色を電池表面に施し、逆に筐体との色感の不統一性をアクセントとしたい場合には、同梱されるシールはＤＶカメラの筐体と同色であるため、購入者の要望を満たすことはできないという問題がある。そこで、色が相異するシールを一の電池に対して複数枚同梱しておくことも考えられるが、このような場合では不要な色のシールは使用されないことがあるため、使用されないシールは無駄になるという問題がある。
【０００６】
本発明は斯かる問題に鑑みてなされたものであり、電気機器の表示部に表示した画像を感光シールの受像層に現像させて好みの色柄にできる感光シールの現像システム、及び該現像システムに用いる感光シールを提供することを目的とする。
【０００７】
本発明の他の目的は、電気機器の筐体の外部側に駆動用の電池を収容する電池収容部を設け、電池収容部を開放／閉鎖するようにして表示部を筐体に開／閉可能に取り付ける構成とすることにより、電気機器の表示部に表示した画像を電池表面に形成することができることに加え、感光シールが無駄になることを防止できる感光シールの現像システム、及び該現像システムに用いる感光シールを提供することにある。
【０００８】
また、本発明の他の目的は、画像の表示指示を受け付け、表示指示を受け付けた場合に、電気機器の表示部に画像を所定時間だけ表示する構成とすることにより、操作性を向上することができる感光シールの現像システムを提供することにある。
【０００９】
本発明の他の目的は、電気機器の表示部に画像を表示していることを報知する構成とすることにより、電気機器の表示部に表示した画像を確実に感光層に現像させることができる感光シールの現像システムを提供することにある。
【００１０】
本発明の他の目的は、電気機器の表示部に単色画像を表示する構成とすることにより、電気機器の表示部に表示した画像と同一色のみを感光層に着色させることができる感光シールの現像システム、及び該現像システムに用いる感光シールを提供することにある。
【００１１】
また、本発明の更に他の目的は、感光シールの一方の最外面に配置される遮光シートに引き剥がし片を設けた構成とすることにより、使用者が遮光シートを容易に引き剥がすことができる感光シールの現像システム、及び該現像システムに用いる感光シールを提供することにある。
【課題を解決するための手段】
【００１２】
本発明に係る感光シールの現像システムは、画像を表示する表示部を有する電気機器と、感光層及び受像層を有する感光シールとを備え、前記表示部に表示した画像を前記受像層に現像させる感光シールの現像システムであって、前記感光シールは、前記受像層を覆うと共に、該受像層側から現像処理材及び前記感光層が順に配置されてなる感光シートと、該感光シートを覆うように粘着された遮光シートとを有し、前記電気機器は、前記表示部に画像を表示させる表示指示を受け付ける受付手段を有し、該受付手段が表示指示を受け付けた場合に、前記表示部に画像を表示するようにしてあることを特徴とする。
【００１３】
本発明に係る感光シールの現像システムは、画像を表示する表示部を有する電気機器と、感光層及び受像層を有する感光シールとを備え、前記表示部に表示した画像を前記受像層に現像させる感光シールの現像システムであって、前記感光シールは、前記感光層及び受像層の間に現像処理材が介在し、前記受像層を覆うように粘着された遮光シートを有し、前記電気機器は、前記表示部に画像を表示させる表示指示を受け付ける受付手段を有し、該受付手段が表示指示を受け付けた場合に、前記表示部に画像を表示するようにしてあることを特徴とする。
【００１４】
本発明に係る感光シールの現像システムは、前記電気機器が、外観が露出するようにして駆動用の電池を収容する電池収容部を設けてある筐体を有し、前記電池収容部を開放／閉鎖するようにして前記表示部を前記筐体に開／閉可能に取り付けてあることを特徴とする。
【００１５】
本発明に係る感光シールの現像システムは、前記電気機器が、前記受付手段が表示指示を受け付けた場合に、前記表示部に画像を所定時間だけ表示するようにしてあることを特徴とする。
【００１６】
本発明に係る感光シールの現像システムは、前記電気機器が、前記表示部に画像を表示していることを報知する報知手段を有することを特徴とする。
【００１７】
本発明に係る感光シールの現像システムは、前記表示部に表示する画像は、単色画像であることを特徴とする。
【００１８】
本発明に係る感光シールの現像システムは、前記感光シールは、前記遮光シートに引き剥がし片を設けてあることを特徴とする。
【００１９】
本発明に係る感光シールは、粘着層を一面に形成してあり、画像を現像する受像層を他面に形成してあるシート状の基材と、前記受像層を覆うと共に、該受像層側から現像処理材及び前記感光層が順に配置されてなる感光シートと、該感光シートを覆うように粘着された遮光シートとを備えることを特徴とする。
【００２０】
本発明に係る感光シールは、粘着層を一面に形成してあり、感光層を他面に形成してあるシート状の基材と、前記感光層を覆う現像処理材と、該現像処理材を覆う受像層と、
該受像層を覆うように粘着された遮光シートとを備えることを特徴とする。
【００２１】
本発明に係る感光シールは、前記遮光シートに引き剥がし片を設けてあることを特徴とする。
【００２２】
本発明に係る感光シールの現像システム及び感光シールにあっては、使用者は、いわゆるインスタントフィルムでいうピールアパート型の感光シールを、例えば電気機器の駆動用の電池のような被貼付体に貼り付けた状態で、電気機器の表示部及び感光シールを対向配置し、次いで感光シールの遮光シートを引き剥がす。これにより、電気機器の表示部に対向位置して感光シールの感光シートが露呈する。
【００２３】
一方、電気機器は画像を表示させる表示指示を受け付ける。そして、電気機器は表示指示を受け付けた場合に、感光シール（の感光層）を露光すべき画像を表示部に表示する。これにより、使用者により予め電気機器の表示部に対向配置された感光シールの感光シートを構成する感光層が直接露光され、感光層に潜像として記録された画像が現像処理材により受像層に転写される。つまり、電気機器の表示部に表示された画像が感光シールの受像層に現像される。続いて、使用者は感光シールの遮光シートを粘着していた感光シートを剥がす。これにより、感光シールの受像層に現像された画像が露呈する。
【００２４】
本発明に係る感光シールの現像システム及び感光シールにあっては、使用者は、いわゆるインスタントフィルムでいうモノシート型の感光シールを、例えば電気機器の駆動用の電池のような被貼付体に貼り付けた状態で、電気機器の表示部及び感光シールを対向配置し、次いで感光シールの遮光シートを引き剥がす。これにより、電気機器の表示部に対向位置して感光シールの受像層が露呈する。
【００２５】
一方、電気機器は画像を表示させる表示指示を受け付ける。そして、電気機器は表示指示を受け付けた場合に、感光シールを露光すべき画像を表示部に表示する。これにより、使用者により予め電気機器の表示部に対向配置された感光シールの感光層が受像層を介して露光され、感光層に潜像として記録された画像が現像処理材により受像層に転写される。つまり、電気機器の表示部に表示された画像が感光シールの受像層に現像される。ただし、本発明に係る感光シールはモノシート型であるため、上述したピールアパート型のように感光層及び現像処理材と、受像層とは分離されない。
【００２６】
本発明の感光シールの現像システム及び感光シールにあっては、まず、使用者は電池収容部に予め収容されている若しくは自身が収容した電池の露出部となるべき部位にピールアパート型／モノシート型の感光シールを粘着層にて貼り付け、又は収容時に露出部となるべき電池の部位にピールアパート型／モノシート型の感光シールを粘着層にて貼り付けた後に電池を電池収容部に収容する。次に、使用者は表示部を閉じることにより、電池に貼り付けられた感光シールを表示部で覆う。これにより、感光シールは外界から遮光される。そして、使用者は、表示部を閉じた状態のままで、感光シールの遮光シートを引き剥がす。これにより、電気機器の表示部に対向位置して感光シールの感光シート／受像層が露呈する。
【００２７】
一方、電気機器は画像を表示させる表示指示を受け付ける。そして、電気機器は表示指示を受け付けた場合に、感光シールを露光すべき画像を表示部に表示する。これにより、使用者により電池収容部に収容された電池に貼り付けられている感光シールの感光層が直接／受像層を介して露光され、感光層に潜像として記録された画像が現像処理材により受像層に転写される。つまり、電気機器の表示部に表示された画像が感光シールの受像層に現像される。
【００２８】
続いて、使用者は表示部を開ける。感光シールがモノシート型である場合には、電気機器の表示部に表示した画像が電池表面に形成されたことになる。一方、感光シールがピールアパート型である場合には、使用者は感光シートを更に剥がす。これにより、電池に貼り付けられた感光シールの感光層に現像された画像が露呈し、電気機器の表示部に表示した画像が電池表面に形成されたことになる。
【００２９】
特に、電池収容部が着脱可能に電池を収容する構成であり、電気機器が表示部に異なる種類の画像を表示する構成である場合には、一の電池表面に形成する画像の自由度が高まることに加え、複数の電池に各別に相異する画像を形成した場合には、各電池表面に形成された画像自体が電池を特定するための識別符号として機能する。
【００３０】
本発明の感光シールの現像システムにあっては、電気機器は画像を表示させる表示指示を受け付ける。そして、電気機器は表示指示を受け付けた場合に、感光シールを露光すべき画像を表示部に表示し、所定時間、具体的には受像層に画像が現像されるのに要する時間が経過した後は表示部への画像の表示を停止する。
【００３１】
本発明に係る感光シールの現像システムにあっては、電気機器は表示部に画像を表示していることを報知する。これにより、使用者は感光シールが露光中であることを認識する。
【００３２】
本発明に係る感光シールの現像システム及び感光シールにあっては、電気機器は表示部に単色画像を表示する。これにより、感光シールの受像層は全体的に、表示部に表示された画像と同一色のみに着色される。例えば、電気機器の表示部に赤色の画像を表示した場合には、感光シールの受像層は全体的に赤色一色に着色される。したがって、感光シールが電池に貼り付けられている場合には、電気機器の表示部に表示された画像と同じ色が電池表面に施されることになる。
【００３３】
本発明に係る感光シールの現像システム及び感光シールにあっては、遮光シートに引き剥がし片を設けてあるため、使用者による遮光シートの引き剥がし作業が容易となる。
【発明の効果】
【００３４】
本発明の感光シールの現像システム及び感光シールによれば、感光シールが使用者により例えば被貼付体に貼り付けられた状態で電気機器の表示部に対向配置された場合に、電気機器の表示部に表示した画像を感光シールの受像層に現像させることができる。特に本発明の感光シールによれば、電気機器に付属品として同梱することが可能である他、単体での販売が可能であり、市場への提供形態を問わない。
【００３５】
また、本発明の感光シールの現像システム及び感光シールによれば、電池収容部に収容された電池に使用者により感光シールが貼り付けられた場合に、電気機器の表示部に表示した画像を電池表面に形成することができる。この場合、電気機器の表示部は使用者により閉じられた状態で画像を表示するため、外部からの不要な光による影響を受けることなく、表示部に表示した画像のみで感光シールの感光層を露光することができ、よって画像を受像層に再現性よく現像させる、つまり画像を再現性よく電池表面に形成することができる。
【００３６】
なお、電池収容部が着脱可能に電池に収容する構成であり、電気機器が表示部に異なる種類の画像を表示する構成である場合には、一の電池表面に形成する画像の自由度を高めることができる。したがって、表示部に表示する画像を適宜変更することにより、複数の電池に各別に相異する画像を形成することができるため、複数の電池を混在させた場合でも各電池表面に形成された画像を識別符号として電池を特定することができる。これにより、各別に相異する画像が形成された複数の電池を用いて一の使用者が一の電気機器を使用する場合には、充電済み又は未充電等の電池の状態を電池表面に形成された画像毎で容易に管理することができる。また、各別に相異する画像が形成された複数の電池を複数の使用者に各別に割り当てて複数の使用者で一の電気機器を使用する場合には、各使用者が自身の電池の状態を独立して管理することができると共に、他人の電池を間違って使用することを防止できる。
【００３７】
特に本発明の感光シールによれば、電池収容部が着脱可能に電池を収容する構成である場合には、単体で販売される電気機器用の電池に同梱することも可能である。しかも、一の電池に対して用意すべき感光シールは一枚でよいため、感光シールが無駄になることを防止できる。
【００３８】
また、本発明の感光シールの現像システムによれば、電気機器は表示指示を受け付けた場合のみ、感光シールを露光すべき画像を表示部に表示する他、画像を表示してから所定時間経過後に画像の表示を自動的に停止するため、画像の表示を停止させるための操作を使用者に行わせる必要がなく、操作性を向上することができる。また過剰露光が防止される。
【００３９】
また、本発明の感光シールの現像システムによれば、電気機器は表示部に画像を表示していることを報知するため、画像の表示中に、使用者が感光シールを貼り付けた被貼付体を移動させる又は表示部を開ける等、電気機器の表示部及び感光シールの対向配置状態が使用者により崩されて感光シールの露光に失敗することを防止できる。つまり、電気機器の表示部に表示した画像を受像層に確実に現像させることができる。
【００４０】
また、本発明の感光シールの現像システム及び感光シールによれば、電気機器は表示部に単色画像を表示して感光シールを露光するため、表示した画像と同一色のみを感光シールの受像層に着色させることができる。したがって、感光シールが電池に貼り付けられている場合には、表示した画像と同じ色を電池表面に施すことができる。なお、電池収容部が着脱可能に電池を収容する構成であり、電気機器が表示部に色が相異する画像を表示する構成である場合には、複数の電池に各別に相異する色を施すことができ、よって直感的に電池を特定することができる。
【００４１】
更に、本発明の感光シールの現像システム及び感光シールによれば、遮光シートに引き剥がし片を設けてあるため、使用者は、電池収容部に収容された電池に感光シールを貼り付けた状態で表示部を閉じた場合を含め、電気機器の表示部及び感光シールを対向配置した場合でも、帯片を用いて遮光シートを容易に引き剥がすことができる。
【発明を実施するための最良の形態】
【００４２】
以下、本発明をその実施の形態を示す図面を用いて詳細に説明する。
（実施の形態１）
図１は本発明の実施の形態１に係る感光シール１０の構成を示す模式図であり、（ａ）は正面図、（ｂ）は（ａ）のＢ−Ｂ線における模式的断面図である。感光シール１０は、電池７０（図２参照）への貼付面と略同寸あり、矩形のシート状の基材１を備える。基材１は、裏面に粘着層２が形成され、画像を現像する受像層３が表面全面に形成されている。粘着層２は剥離シート３０にて覆われている。
【００４３】
受像層３は周縁を除いて感光シート４にて覆われている。感光シート４は、受像層３側から現像処理材５及び感光層６が順に形成されてなる。感光シート４は、基材１と同形・同寸法の遮光シート７にて覆われている。遮光シート７は矩形環状の粘着層８が感光シート４を覆う面の周縁に形成されている。遮光シート７の一側短辺の中央部には引き剥がし用の帯片７ａが遮光シート７の表面側に延設されており、先端部が遮光シート７の他側短辺へ突出している。
【００４４】
なお、感光シール１０は後述するように、受像層３への画像の現像後、受像層３から感光シート４を剥がす処理を要する、いわゆるインスタントフィルムでいうピールアパート型に相当する。
【００４５】
図２は本発明の実施の形態１に係る感光シール１０の現像システムの構成を示す模式図である。図において、４０はＤＶカメラであり、ＤＶカメラ４０は直方体状の筐体６０を備える。筐体６０は、正面に撮像レンズ４１が設けられ、背面視左側面部に、ＤＶカメラ４０を駆動する直方体状の電池７０を着脱自在に収容するための電池収容部６１が凹設されている。なお、電池収容部６１は電池７０を着脱自在に収容する構成としたが、これに限らず、電池７０を固定式に収容してある構成であってもよい。
【００４６】
筐体６０は背面視左側面部における正面側部分にヒンジ６２が縦向きに設けられており、ヒンジ６２により直方体状の液晶表示装置からなる表示部４６が筐体６０に対して開閉可能に枢支されている。表示部４６は、開いた／閉じた状態で電池収容部６１を開放／閉鎖し、閉じた状態で電池収容部６１と対向する面に表示面４６ａが配置されている。
【００４７】
筐体６０は、電池収容部６１の上側の部位に、画像の選択を受け付ける色選択ボタン５１、選択した画像の決定指示を受け付ける決定ボタン５２、露光開始指示を受け付ける露光ボタン５３、及び露光中、すなわち画像を表示中であることを点灯することにより報知するＬＥＤ５６が設けられている。色選択ボタン５１は、上下左右の４方向に独立して押圧することが可能な十字キー型であり、押圧方向に応じて４色（例えば白色、青色、赤色及び緑色）の画像の中から１色の画像を選択することが可能である。筐体６０は背面に記録ボタン５４及び電源スイッチ５５等が設けられている。
【００４８】
電池７０は、電池収容部６１に収容された状態で表示部４６側の露出すべき面に、図１に示す本発明に係る感光シール１０が、剥離シート３０を引き剥がされた状態で粘着層２にて貼り付けられる。ただし、感光シール１０の貼り付けは、帯片７ａの基端部側及び先端部側がそれぞれ筐体６０の正面側及び背面側に配置されるようにして行われる。電池７０は以上のようにして感光シール１０が貼り付けられた状態で電池収容部６１に収容される。
【００４９】
図３は図２に示すＤＶカメラ４０の構成を示すブロック図である。ＤＶカメラ４０は、ＣＣＤにて構成される撮像素子４２を備える。撮像素子４２は、撮像レンズ４１にて集光して結像した像をアナログの撮像信号に光電変換し、光電変換した撮像信号をＡ／Ｄ変換部４３へ出力する。Ａ／Ｄ変換部４３は、撮像素子４２から入力されたアナログの撮像信号をデジタルの撮像データにＡＤ変換し、ＡＤ変換した撮像データを信号処理部４４へ出力する。
【００５０】
信号処理部４４は、ＤＳＰ（Digital Signal Processor）にて構成され、Ａ／Ｄ変換部４３から入力された撮像データを、ＳＲＡＭ又はＳＤＲＡＭ等の作業用のメモリ４５に書き込む機能と、表示用の信号に変換して表示部４６へ出力する機能とを有する。表示部４６は、信号処理部４４から入力された信号に基づいて撮像データに係る撮像画像を表示する他、本発明の感光シール１０を露光すべき画像を表示する。
【００５１】
また、信号処理部４４は、メモリ４５に書き込んだ撮像データをMotionＪＰＥＧ又はＭＰＥＧ等の圧縮伸長方式にて圧縮する機能と、圧縮した撮像データを記録再生部４７へ出力し、記録再生部４７に収容された記録媒体４８に圧縮した撮像データを記録する機能とを更に有する。記録媒体４８は記録再生部４７に対して着脱が自在な磁気テープ又は半導体メモリ等である。
【００５２】
ＤＶカメラ４０は、タイマを用いてなる時計部４９と、使用者から種々の操作指示の入力を受け付ける操作部５０とを備える。操作部５０は、筐体６０に設けられた色選択ボタン５１、決定ボタン５２、露光ボタン５３、記録ボタン５４及び電源スイッチ５５等にて構成される。
【００５３】
以上のＤＶカメラ４０が備えるハードウェア各部の動作は、ＣＰＵにて構成される制御部５７がＲＯＭ５８に格納してある制御プログラムを実行することにより制御される。制御部５７による制御プログラムの実行時に発生するデータはＲＡＭ５９に一時的に記憶される。制御部５７は、所定の条件に従って筐体６０に設けられたＬＥＤ５６を点灯／消灯する。
【００５４】
ＲＯＭ５８には制御プログラムの他、感光シール１０を露光すべき４色（白色、青色、赤色及び緑色）の画像に係るデータも格納されている。よって、制御部５７は、色選択ボタン５１が押圧された場合に、押圧方向に対応付けてある色の画像に係るデータをＲＯＭ５８から読み出して信号処理部４４へ転送する。これにより、色選択ボタン５１の押圧方向に応じて、各色の画像が表示部４６に適宜表示される。
【００５５】
以上の如き構成のＤＶカメラ４０を用い、電池７０に貼り付けられた感光シール１０を露光する手順を以下に説明する。
【００５６】
図４乃至図６はそれぞれ、図２及び図３に示すＤＶカメラ４０の制御部５７による感光シール１０の露光処理の手順を示すフローチャートである。なお、図４乃至図６において示す「Ａ」〜「Ｄ」の符号を付した箇所は、同符号の箇所とそれぞれ連結されることを意味する。
【００５７】
まず制御部５７は、画像の表示指示の入力として、色選択ボタン５１の押圧を監視する（Ｓ１）。ただし、この段階では表示部４６は開けられた状態にある。色選択ボタン５１が押圧されていない場合（Ｓ１：ＮＯ）には、制御部５７は押圧の監視を続行する。一方、色選択ボタン５１が押圧された場合（Ｓ１：ＹＥＳ）には、制御部５７は色選択ボタン５１が上に押圧されたか否かを判定する（Ｓ２）。
【００５８】
ステップＳ２において色選択ボタン５１が上に押圧されたと判定した場合（Ｓ２：ＹＥＳ）には、制御部５７は、ＲＯＭ５８に格納してある白色の画像に係るデータを読み出して信号処理部４４に転送することにより、白色の画像を表示部４６に表示する（Ｓ３）。次に制御部５７は、表示部４６に表示中の画像の変更指示の入力として、色選択ボタン５１が押圧されたか否かを判定する（Ｓ４）。
【００５９】
ステップＳ４において色選択ボタン５１が押圧されたと判定した場合（Ｓ４：ＹＥＳ）には、制御部５７はステップＳ２へ移行して以降の処理を繰り返す。一方、ステップＳ４において色選択ボタン５１が押圧されていないと判定した場合（Ｓ４：ＮＯ）には、制御部５７は、表示部４６に表示中の画像の決定指示の入力として、決定ボタン５２が押圧されたか否かを判定する（Ｓ５）。ステップＳ５において決定ボタン５２が押圧されていないと判定した場合（Ｓ５：ＮＯ）には、制御部５７はステップＳ３へ移行して以降の処理を繰り返す。
【００６０】
また、ステップＳ２において色選択ボタン５１が上に押圧されていないと判定した場合（Ｓ２：ＮＯ）には、制御部５７は色選択ボタン５１が下に押圧されたか否かを判定する（Ｓ６）。
【００６１】
ステップＳ６において色選択ボタン５１が下に押圧されたと判定した場合（Ｓ６：ＹＥＳ）には、制御部５７は、ＲＯＭ５８に格納してある青色の画像に係るデータを読み出して信号処理部４４に転送することにより、青色の画像を表示部４６に表示する（Ｓ７）。次に制御部５７は、表示部４６に表示中の画像の変更指示の入力として、色選択ボタン５１が押圧されたか否かを判定する（Ｓ８）。
【００６２】
ステップＳ８において色選択ボタン５１が押圧されたと判定した場合（Ｓ８：ＹＥＳ）には、制御部５７はステップＳ２へ移行して以降の処理を繰り返す。一方、ステップＳ８において色選択ボタン５１が押圧されていないと判定した場合（Ｓ８：ＮＯ）には、制御部５７は、表示部４６に表示中の画像の決定指示の入力として、決定ボタン５２が押圧されたか否かを判定する（Ｓ９）。ステップＳ９において決定ボタン５２が押圧されていないと判定した場合（Ｓ９：ＮＯ）には、制御部５７はステップＳ７へ移行して以降の処理を繰り返す。
【００６３】
また、ステップＳ６において色選択ボタン５１が下に押圧されていないと判定した場合（Ｓ６：ＮＯ）には、制御部５７は色選択ボタン５１が左に押圧されたか否かを判定する（Ｓ１０）。
【００６４】
ステップＳ１０において色選択ボタン５１が左に押圧されたと判定した場合（Ｓ１０：ＹＥＳ）には、制御部５７は、ＲＯＭ５８に格納してある赤色の画像に係るデータを読み出して信号処理部４４に転送することにより、赤色の画像を表示部４６に表示する（Ｓ１１）。次に制御部５７は、表示部４６に表示中の画像の変更指示の入力として、色選択ボタン５１が押圧されたか否かを判定する（Ｓ１２）。
【００６５】
ステップＳ１２において色選択ボタン５１が押圧されたと判定した場合（Ｓ１２：ＹＥＳ）には、制御部５７はステップＳ２へ移行して以降の処理を繰り返す。一方、ステップＳ１２において色選択ボタン５１が押圧されていないと判定した場合（Ｓ１２：ＮＯ）には、制御部５７は、表示部４６に表示中の画像の決定指示の入力として、決定ボタン５２が押圧されたか否かを判定する（Ｓ１３）。ステップＳ１３において決定ボタン５２が押圧されていないと判定した場合（Ｓ１３：ＮＯ）には、制御部５７はステップＳ１１へ移行して以降の処理を繰り返す。
【００６６】
また、ステップＳ１０において色選択ボタン５１が左に押圧されていないと判定した場合（Ｓ１０：ＮＯ）には、色選択ボタン５１は右に押圧されたことになるので、制御部５７は、ＲＯＭ５８に格納してある緑色の画像に係るデータを読み出して信号処理部４４に転送することにより、緑色の画像を表示部４６に表示する（Ｓ１４）。次に制御部５７は、表示部４６に表示中の画像の変更指示の入力として、色選択ボタン５１が押圧されたか否かを判定する（Ｓ１５）。
【００６７】
ステップＳ１５において色選択ボタン５１が押圧されたと判定した場合（Ｓ１５：ＹＥＳ）には、制御部５７はステップＳ２へ移行して以降の処理を繰り返す。一方、ステップＳ１５において色選択ボタン５１が押圧されていないと判定した場合（Ｓ１５：ＮＯ）には、制御部５７は、表示部４６に表示中の画像の決定指示の入力として、決定ボタン５２が押圧されたか否かを判定する（Ｓ１６）。ステップＳ１６において決定ボタン５２が押圧されていないと判定した場合（Ｓ１６：ＮＯ）には、制御部５７はステップＳ１４へ移行して以降の処理を繰り返す。
【００６８】
続いて、ステップＳ５、Ｓ９、Ｓ１３又はＳ１６において決定ボタン５２が押圧されたと判定した場合（Ｓ５、Ｓ９、Ｓ１３又はＳ１６：ＹＥＳ）には、制御部５７は表示部４６への画像の表示を停止する（Ｓ１７）。
【００６９】
以上のように、色選択ボタン５１が押圧される都度、決定ボタン５２が押圧されるまでの間に押圧方向に応じて各色の画像が表示部４６に表示されるため、使用者は表示部４６の表示面４６ａを確認しつつ４色の画像の中から所望の色の画像を選択することができる。なお、感光シール１０が貼り付けられた電池７０は、以上の画像の選択が行われる前に予め電池収容部６１に収容しておいてもよく、また、以上の画像の選択が行われた後に電池収容部６１に収容してもよい。
【００７０】
そして使用者は、感光シール１０が貼り付けられた電池７０を電池収容部６１に収容した状態で表示部４６を閉じて感光シール１０を表示部４６で覆う。図７は図２に示すＤＶカメラ４０の表示部４６を閉じて感光シール１０を覆った状態を示すＤＶカメラ４０の斜視図である。図７に示すように、表示部４６を閉じた状態では、表示部４６と筐体６０との間の僅かな隙間から、感光シール１０の帯片７ａの先端部が突出している。よって、使用者は帯片７ａの先端部を破線矢符にて示す方向に引き抜いて、粘着層８諸共遮光シート７を折り返すように引き剥がす。これにより、感光シール１０の感光シート４が表示部４６の表示面４６ａに対向して露呈する。
【００７１】
ＤＶカメラ４０の制御部５７は、以上のように感光シール１０の遮光シート７が使用者により引き剥がされた後に、以下の処理を実行する。
【００７２】
制御部５７は、露光開始指示の入力として、露光ボタン５３の押圧を監視する（Ｓ１８）。露光ボタン５３が押圧されていない場合（Ｓ１８：ＮＯ）には、制御部５７は押圧の監視を続行する。一方、露光ボタン５３が押圧された場合（Ｓ１８：ＹＥＳ）には、制御部５７はＬＥＤ５６を点灯し（Ｓ１９）、次いで選択が決定された色の画像を表示部４６に表示する（Ｓ２０）。これにより、電池７０に貼り付けられた感光シール１０の感光シート４を構成する感光層６が表示部４６に表示された画像により直接露光され、感光層６に潜像として記録された像が現像処理材５により受像層３に転写され、受像層３に画像が現像される。
【００７３】
続いて制御部５７は、時計部４９により、画像の表示を開始してから所定時間が経過したか否かを判定する（Ｓ２１）。なお、所定時間は、受像層３に画像が現像されるのに要する時間に設定されている。ステップＳ２１において所定時間が経過していないと判定した場合（Ｓ２１：ＮＯ）には、制御部５７はステップＳ１９へ移行して以降の処理を繰り返す。
【００７４】
一方、ステップＳ２１において所定時間が経過したと判定した場合（Ｓ２１：ＹＥＳ）には、制御部５７は、表示部４６への画像の表示を停止し（Ｓ２２）、次いでＬＥＤ５６を消灯し（Ｓ２３）、処理を終了する。
【００７５】
以上の処理をＤＶカメラ４０にて行った後、使用者は、ＬＥＤ５６の消灯を確認して感光シール１０の露光が終了されたと認識することができ、表示部４６を開けて、遮光シート７を粘着層８にて貼り付けていた感光シート４を受像層３から剥がす。これにより、表示部４６に表示した画像と同じ色を受像層３に全体的に着色させることができる、つまり電池７０に色を施すことができる。
【００７６】
（実施の形態２）
図８は本発明の実施の形態２に係る感光シール２０の構成を示す模式図であり、（ａ）は正面図、（ｂ）は（ａ）のＢ−Ｂ線における模式的断面図である。シート状の基材１の表面全面に感光層６が形成されている。感光層６は現像処理材５に覆われており、現像処理材５は受像層３に覆われている。受像層３は遮光シート７にて覆われている。遮光シート７は矩形環状の粘着層８が受像層３を覆う面の周縁に形成されている。
【００７７】
その他の構成は、実施の形態１の感光シール１０と同様であるので、対応する部分には同一の符号を付して説明を省略する。なお、感光シール２０は、実施の形態１の感光シール１０と異なり、受像層３への画像の現像後、感光層６及び現像処理材５と、受像層３とは分離されることがない、いわゆるインスタントフィルムでいうモノシート型に相当する。
【００７８】
また、本発明の実施の形態２に係る感光シール２０の現像システムの構成は、図２において、感光シール１０に代えて感光シール２０を電池７０に貼り付けて構成されるものであり、ＤＶカメラ４０を用いて感光シール２０を露光する手順も実施の形態１と同様であるので、説明を省略する。
【００７９】
なお、上述した実施の形態１，２においては、感光シール１０，２０を露光すべき各画像を単色画像としたが、これに限らず、例えばストライプ状又はドット状等のような単純な模様を各別に有する画像であってもよい。
【００８０】
また、上述した実施の形態１，２においては、感光シール１０，２０を露光すべき各画像をＤＶカメラ４０に予め用意しておいたが、これに限らず、ＤＶカメラ４０にて撮像した画像を用いて感光シール１０，２０を露光してもよい。
【図面の簡単な説明】
【００８１】
【図１】本発明の実施の形態１に係る感光シールの構成を示す模式図である。
【図２】本発明の実施の形態１に係る感光シールの現像システムの構成を示す模式図である。
【図３】図２に示すＤＶカメラの構成を示すブロック図である。
【図４】図２及び図３に示すＤＶカメラの制御部による感光シールの露光処理の手順を示すフローチャートである。
【図５】図２及び図３に示すＤＶカメラの制御部による感光シールの露光処理の手順を示すフローチャートである。
【図６】図２及び図３に示すＤＶカメラの制御部による感光シールの露光処理の手順を示すフローチャートである。
【図７】図２に示すＤＶカメラの表示部を閉じて感光シールを覆った状態を示すＤＶカメラの斜視図である。
【図８】本発明の実施の形態２に係る感光シールの構成を示す模式図である。
【符号の説明】
【００８２】
１  基材
２，８  粘着層
３  受像層
４  感光シート
５  現像処理材
６  感光層
７  遮光シート
７ａ  帯片
１０，２０  感光シール
３０  剥離シート
４０  ＤＶカメラ
４６  表示部
４９  時計部
５１  色選択ボタン
５２  決定ボタン
５３  露光ボタン
５６  ＬＥＤ
５７  制御部
５８  ＲＯＭ
６０  筐体
６１  電池収容部
６２  ヒンジ
７０  電池
【図１】
2006162702.tif 000003
【図２】
2006162702.tif 000004
【図３】
2006162702.tif 000005
【図４】
2006162702.tif 000006
【図５】
2006162702.tif 000007
【図６】
2006162702.tif 000008
【図７】
2006162702.tif 000009
【図８】
2006162702.tif 000010